(57)【要約】【課題】  調理器本体の前面に操作パネルを配置したものにおいて、調理器の使用時における操作パネルの操作性を向上させる事を目的とするものである。【解決手段】  調理器本体の前面適所に操作パネルを配置すると共に、この操作パネルの上端部を回転軸により枢支し、かつ電動機構により回転軸を中心に垂直状態から上方に向けて傾斜する様に構成し、調理器の使用時には電動機構により操作パネルを上向きに傾斜させる様に構成して成る。【選択図】        図２
2007078245.tif 000002
【特許請求の範囲】
【請求項１】
調理器本体の前面適所に操作パネルを配置すると共に、この操作パネルの上端部を回転軸により枢支し、かつ電動機構により上記回転軸を中心に垂直状態から上方に向けて傾斜する様に構成して成る加熱調理器。
【請求項２】
上記操作パネルの底面を底板により閉塞して該底面にラックギヤを設け、このラックギヤと噛合するピニオンギヤを備えたモータを、このピニオンギヤに対向して上記調理器本体内に装着して成る、上記請求項１に記載の加熱調理器。
【請求項３】
上記調理器本体を床置型に構成すると共に、調理器本体の前面に上記扉と操作パネルを横並びに並設配置し、かつこの操作パネルを扉の高さ寸法より上方に短く構成して操作パネルの下方に固定板を配置し、この固定板の裏側に上記電動機構を配置して成る、上記請求項１〜２に記載の加熱調理器。
【発明の詳細な説明】
【技術分野】
【０００１】
本発明は、調理器本体の前面に、調理時間等の調理条件を入力する操作パネルを備えた加熱調理器に関する。
【背景技術】
【０００２】
調理器本体の前面に操作パネルを配置したものでは、例えば特許文献１に示される様に、調理器の設置条件に応じて、操作パネルを手動により上下方向に傾斜する様に構成したものがある。
【特許文献１】実開平５−７９３０７号公報
【発明の開示】
【発明が解決しようとする課題】
【０００３】
一方、上記特許文献１に記載の構成では、一度操作パネルを傾斜させると、調理器の使用に係わらず操作パネルが傾斜し、本体の前面より操作パネルの上端部或いは下端部が前方に突出し、外観上違和感を与えるという問題がある。
【０００４】
又、使用の終了都度、操作パネルを垂直状態に戻しても良いが、その操作が煩わしいという問題がある。
【０００５】
そこで本発明は、調理器の使用状態に応じて自動的に操作パネルを傾斜させ、操作パネルの操作性を向上させると共に、使い勝手を向上する事を目的とする。
【課題を解決するための手段】
【０００６】
本発明の請求項１の構成は、調理器本体の前面適所に操作パネルを配置すると共に、この操作パネルの上端部を回転軸により枢支し、かつ電動機構により回転軸を中心に垂直状態から上方に向けて傾斜する様に構成して成るものである。
【０００７】
本発明の請求項２の構成は、請求項１の構成において、操作パネルの底面を底板により閉塞して該底面にラックギヤを設け、このラックギヤと噛合するピニオンギヤを備えたモータを、このピニオンギヤに対向して調理器本体内に装着して成るものである。
【０００８】
本発明の請求項３の構成は、請求項１〜２の構成において、調理器本体を床置型に構成すると共に、調理器本体の前面に扉と操作パネルを横並びに並設配置し、かつこの操作パネルを扉の高さ寸法より上方に短く構成して操作パネルの下方に固定板を配置し、この固定板の裏側に電動機構を配置して成るものである。
【発明の効果】
【０００９】
本発明の請求項１に記載の構成により、操作パネルの上端を回転軸により枢支し、この回転軸を中心にして電動機構により操作パネルを上方に向けて傾斜する様に構成したことで、操作パネルの操作時には電動機構により操作パネルを上方に向けて傾斜させることで、操作性を向上させる事が出来るものである。
【００１０】
本発明の請求項２に記載の構成により、操作パネルの底を閉塞して該部にラックギヤを設けると共に、これに対向してラックギヤと噛合するピニオンギヤを備えたモータを配置したことで、操作パネル底面への指等の挿入による損傷を防止すると同時に、電動機構の配置構成を簡素化する事が出来るものである。
【００１１】
本発明の請求項３に記載の構成により、扉の横に操作パネルを配置すると共に、操作パネルの高さ寸法を扉よりも短く構成して操作パネルの下方に固定板を配置し、この固定板の裏側に電動機構を配置したことで、固定板後方の遊休空間を利用して電動機構を配置することができ、電動機構配置用のスペースを確保する必要がなく、電動機構の組み込みを容易に行う事が出来るものである。
【発明を実施するための最良の形態】
【００１２】
本発明による実施例を先ず図１に基づき説明すると、１は例えばシステムキッチン等の調理台で、上部にカウンタートップ２を装着していると共に、このカウンタートップの下方に収納空間３を区画形成し、かつこの収納空間を挟んで収納キャビネット４ａ，４ｂを一体的に形成している。
【００１３】
５は上記調理台１の収納空間３に収納設置した床置型の調理器本体で、上部にドロップイン式のＩＨクッキングヒータやガスコンロを装着するコンロ収納台６を設けていると共に、この収納台の下方に縦開き式の扉７と操作パネル８とを横並びに並設し、かつこれら扉と操作パネルの下方に蹴込み扉９を上下方向に開閉自在に枢支している。
【００１４】
又、上記操作パネル８は、その高さ寸法を扉７の高さ寸法よりも短く構成して、その下方に固定板１０を配置し、この固定板と操作パネル８の高さを扉７の高さと同じに構成している。
【００１５】
一方、上記操作パネル８は、図２にて示す様にその上端部を回転軸１１により回転自在に枢支していると共に、その底面を底板１２により閉塞し、かつこの底板の底面にラックギヤ１３を装着している。
【００１６】
又、上記ラックギヤ１３の下方には、固定板１０の後方に位置してラックギヤ１３に噛合するピニオンギヤ１４と、このピニオンギヤを回転駆動するギヤードモータ１５を配置し、これらにて電動機構１６を構成している。
【００１７】
これらの構成により、操作パネル８の底面を底板１２により閉塞したことで、操作パネル８を、上記電動機構１６により図３並びに図２中に破線にて示す傾斜位置に回転時に、その底部に指や箸等が挿入される恐れがなく、これら異物の挿入による指や操作パネル８の損傷を防止する事が出来るものである。
【００１８】
更に、上記電動機構１６を固定板１０後方の遊休空間を利用して装着したことで、電動機構１６を操作パネル８の後方に配置する場合に比較して、設置スペースを確保する必要がなく、電動機構１６を比較的容易に組み込む事が出来るものである。
【００１９】
而して、調理器本体５を使用しない場合には、操作パネル８を垂直状態に収納し、この操作パネルの突出による人体の接触等を防止する。
【００２０】
一方、調理器本体５を使用して調理を行う場合には、例えば扉７の開成を図示しないスイッチや制御回路により検出してギヤードモータ１５に通電し、ピニオンギヤ１４を回転して操作パネル８を回転軸１１を中心に回転して傾斜させる。これにより、操作パネル８の操作面が上向きに傾斜し、特に実施例に示す床置式の調理器の場合には、人が立って操作を行なう為、操作パネル８の操作面に配置した各操作キー２０・・の操作が行ない易くなるものである。
【００２１】
尚、上記実施例では床置式の調理器を用いているが、これに限定されることなく、システムキッチン等のカウンタートップ２にドロップイン式に組み込むＩＨクッキングヒータやガスコンロの操作部に用いても良い。
【図面の簡単な説明】
【００２２】
【図１】本発明による調理器本体を組み込んだ調理台の実施例を示す正面図である。
【図２】同じく要部の側面図である。
【図３】同じく動作状態を示す側面図である。
【符号の説明】
【００２３】
５    調理器本体
７    扉
８    操作パネル
１０  固定板
１１  回転軸
１２  底板
１３  ラックギヤ
１４  ピニオンギヤ
１５  モータ
【図１】
2007078245.tif 000003
【図２】
2007078245.tif 000004
【図３】
2007078245.tif 000005